(57)【特許請求の範囲】
【請求項１】
無線通信でのデータ転送速度制御のための必要なフィードバックを低減することを促進する方法であって、
複数の送信アンテナの１つ又は複数のグループ分けを決定すること、ここにおいて、１つ又は複数のグループ分けを決定することは、複数の送信アンテナ中のアクテイブ・アンテナを識別すること及び前記１つ又は複数のグループ分けを策定する場合に非アクテイブ・アンテナを無視することを備える、
アンテナ・グループ分けの置換に従ってデータ・ストリーム・コードワードを置換すること、
及び、フォワード・リンク・チャネル上で送信アンテナの前記１つ又は複数のグループ分けを通して置換されたコードワードを送信すること、
を備え、ここにおいて、コードワードを置換することは、各コードワードが前記複数のアンテナ中の各アンテナを通して送信されるように全てのアンテナ・グループ分け間にコードワード・ブロックを分配することを備える、方法。
【請求項２】
層対コードワード比を決定すること、及び
前記１つ又は複数のグループ分けのサイズを前記層対コードワード比に制限すること、をさらに備える、請求項１の方法。
【請求項３】
各コードワードは１つの層に対応する、請求項２の方法。
【請求項４】
各コードワードは２つの層に対応する、請求項２の方法。
【請求項５】
置換されたコードワードを送信することに関連するフィードバックとして圧縮チャネル品質指標(CQI)を受け取ること、及び
データ転送速度、コード・レート、又は送信される後続のコードワードの変調スキームのうちの少なくとも1つを圧縮チャネル品質指標(CQI)に基づいて調節すること、
をさらに含む請求項１の方法。
【請求項６】
前記圧縮チャネル品質指標(CQI)は、第１の復号されたコードワードの信号品質メトリックを反映する基礎CQI及び第２のコードワードを復号する際に前記第１の復号されたコードワードを取消すことのよって得られる信号品質を反映する差分CQIを備える、請求項５の方法。
【請求項７】
圧縮チャネル品質指標(CQI)は、第１の復号されたコードワード及び第２の復号されたコードワードの両方の信号品質メトリックを反映する基礎CQIを備える、請求項５の方法。
【請求項８】
前記信号品質メトリックは、信号対雑音比又は信号対干渉パルス雑音比のうちの１つである、請求項６の方法。
【請求項９】
後続のコードワードを調節することは、
データ転送速度、コード・レート又は後続の第１のコードワードの変調スキームのうちの少なくとも１つを基礎CQIに従って調節すること、及び
データ転送速度、コード・レート又は追加の後続のコードワードの変調スキームのうちの少なくとも１つを基礎CQI及び差分CQIの倍数の合計に基づいて調節すること、
を備える、請求項６の方法。
【請求項１０】
後続のコードワードを調節することは、
データ転送速度、コード・レート又は後続の第１及び追加のコードワードの変調スキームのうちの少なくとも１つを基礎CQIに基づいて調節すること、を備える、請求項７の方法。
【請求項１１】
前記複数の送信アンテナは、２本の又はそれより多い物理的アンテナ又は仮想アンテナを含んでいる、請求項１の方法。
【請求項１２】
複数の送信アンテナの１つ又は複数のグループ分けをすること、アンテナ・グループ分けに基づいてコードワード記号を置換すること、送信性能を調節するためにフィードバックを利用すること、アクテイブ・アンテナの数を決定すること及びコードワード対層対応のレベルを識別することに関係する命令を保持するメモリと、ここにおいて、コードワードを置換することは、各コードワードが前記複数のアンテナ中の各アンテナを通して送信されるように全てのアンテナ・グループ分け間にコードワード・ブロックを分配することを備えており、
前記メモリに結合され、前記メモリ内に保持された前記命令を実行するように構成されたプロセッサと、
を備える無線通信装置。
【発明の詳細な説明】
【技術分野】
【０００１】
下記の記述は、一般的には無線通信に関し、さらに詳細には無線通信システムでのグループ分けされたアンテナのためのコードワード置換（codeword permutation）に関する。
【背景技術】
【０００２】
無線通信システムは、例えば、音声、データ等のような種々のタイプの通信コンテンツを提供するために広く展開される。典型的な無線通信システムは、利用可能なシステム・リソース(例えば帯域幅、送信電力...)の共有により多数のユーザとのコミュニケーションをサポートすることができる多元接続システムであってもよい。そのような多元接続システムの例は、符号分割多元接続(CDMA)システム、時分割多元接続(TDMA)システム、周波数分割多元接続(FDMA)システム、直交周波数分割多元接続(OFDMA)システム、などを含んでいてもよい。
【０００３】
一般に、無線多元接続通信システムは、多数のモバイルデバイスのための通信を同時にサポートすることができる。各モバイルデバイスは、フォワード及びリバース・リンクでの送信によって１つ又は複数の基地局と通信してもよい。フォワード・リンク(又はダウンリンク)は、基地局からモバイルデバイスへの通信リンクを指し、また、リバース・リンク(又はアップリンク)は、モバイルデバイスから基地局への通信リンクを指す。さらに、モバイルデバイスと基地局の間の通信は、単一入力単一出力(SISO)システム、多入力単一出力(MISO)システム、多重入力多重出力(MIMO)システムなどによって確立されてもよい。
【０００４】
MIMOシステムは、データ伝送のために多(NT)送信アンテナと多(NR)受信アンテナを一般に使用する。NT送信及びNR受信アンテナによって形成されたMIMOチャネルは、NSの独立したチャネル(それらは空間的チャネルと呼ばれてもよい)に分解されてもよい。ただし、NS≦{NT,NR}である。NSの独立チャネルの各々は1つの次元に対応する。さらに、多送信及び受信アンテナによって形成された付加的な次元が利用される場合には、MIMOシステムは改善された性能(例えば、増加したスペクトル効率、より高い処理能力及び／又は、より大きな信頼性)を提供しうる。
【０００５】
MIMOシステムは、共通の物理的媒体上でのフォワード及びリバース・リンクを分割するために種々の多重化技術通をサポートできる。例えば、周波数分割多重(FDD)システムは、フォワード及びリバース・リンク通信ために異なる周波数領域を利用してもよい。さらに、時分割多重(TDD)システムでは、フォワード及びリバース・リンク通信は共通の周波数領域を使用してもよい。しかし、従来の技術は、チャネル情報に関連したフィードバックを限定的に提供できるか又は全く提供できない。
【発明の概要】
【０００６】
下記は、１つ又は複数の実施形態の簡略概要を、そのような実施形態の基本的理解を提供するために提示する。この概要は、すべての意図された実施形態の広範囲な概観ではなく、すべての実施形態の重要な又は重大な要素を識別すること又はすべての実施形態の範囲を画定することは意図されていない。それの唯一の目的は、後で示されるさらに詳細な記述に対する前置きとして１つ又は複数の実施形態のいくつかの概念を単純化された形式で提示することである。
【０００７】
１つ又は複数の態様及びそれの対応する開示に従って、多重入力多重出力(MIMO)無線通信システムのためのフォワード・リンク・データ伝送に応じてリバース・リンク・チャネル上で送信されるのに必要な、低減されたフィードバックを促進することに関連して種々の態様が記述される。特に、グループ別レート制御(PGRC)スキーム（per group rate control scheme）を実行するMIMOシステムでは、コードワードは、１つより多い層にリンクされうる。コードワードは、アンテナ・グループの対称的な置換に基づいて、アンテナ間で置換される。さらに、受信機が基礎CQIに関連したコードワードによって生成された干渉を除去することから生ずる品質向上を表わす基礎チャネル品質指標(CQI)及び差分CQIにフィードバックを圧縮することができるように、コードワードは置換された形式で送信される。
【０００８】
関連する態様によれば、コードワード置換を使用する無線通信システムがここに記述される。１つの態様では、無線通信におけるデータ転送速度制御のために必要なフィードバックを低減することを促進する方法であり、その方法は、複数の送信アンテナの１つ又は複数のグループ分けを決定し、アンテナ・グループ分けの置換によってデータ・ストリーム・コードワードを置換し、そして置換されたコードワードをフォワード・リンク・チャネル上で送信アンテナの１つ又は複数のグループ分けを通じて送信する。
【０００９】
他の態様によれば、多重入力多重出力システムにおいて使用可能な無線通信装置は、コードワード対層対応のレベルを識別するための手段と、コードワード対応のレベルに少なくとも一部分基づいて送信アンテナのグループを策定するための手段と、及び少なくとも2つのコードワードの対称的な置換を行なうための手段を備える。
【００１０】
さらに他の態様によれば、無線通信装置は、送信アンテナをグループ分けすること、そのアンテナ・グループ分けに基づいてコードワード記号を置換すること、及び伝送特性を調整するためにフィードバックを利用することに関連した命令を保持するメモリと、そのメモリに結合され、メモリに保持された命令を実行するように構成されたプロセッサとを備える。
【００１１】
他の態様によれば、コードワードと層との間の対応に基づいて送信アンテナをグループ分けし、そのグループ分けの対称的な置換に基づいてアンテナ・グループ化にわたってコードワード・ブロックをシャッフル（shuffling）し、送信アンテナを通してフォワード・リンク・チャネルによってシャッフルされたコードワード・ブロックを送信し、混合されたコードワードの伝送に関する圧縮フィードバック・メトリック（condensed feedback metric）を受信し、受信されたフィードバックに少なくとも部分的に基づいて後続の送信を調節するための機械実行可能命令を格納された機械可読媒体である。
【００１２】
さらに他の態様によれば、無線通信システムにおいて低減されたフィードバックを生成する方法は、送信時に使用される置換スキームに従って、置換されたコードワード・ブロックをアンミックス（unmixing）すること、送信時に第１のコードワードによって生成される干渉を再生（regenerating）すること、第１のコードワードに関係するチャネル品質指標(CQI)を評価すること、及び第２のコードワードを復号する際に、再生された干渉を削除することから生ずる品質向上に関係する差分CQIを評価することを備える。
【００１３】
さらに他の態様によれば、無線通信システムにおいて、装置は、置換された形式で受信された少なくとも２つのコードワードを再構成し、前記少なくとも２つのコーッドワードの第１のコードワードの信号品質を反映する基礎CQIを決定し、そして第２のコードワードにおいて得られた信号利得に基づいてデルタCQIを計算するように構成されたプロセッサを備える。
【００１４】
他の態様によれば、置換されたコードワードに対して逐次干渉除去を用いることによって、低減されたフィードバックを計算する無線通信装置は、複数の受信アンテナで置換されたコードワードを受信するための手段と、受信した置換されたコードワードに基づいてコードワードを再構成するための手段と、送信時に第１のコードワードによって生成される干渉を再生するための手段と、第２のコードワードを復号している間に、再生された干渉を除去するための手段とを備える。
【００１５】
上記の及び関連した目的の達成のために、１つ又は複数の実施の形態は、後で十分に記述されかつ請求項で具体的に指摘さえる特徴を備える。下記の記述及び添付図面は、１つ又は複数の実施形態のある例示的な態様を詳細に開示する。しかし、これらの態様は、種々の実施態様の原理が使用されうる種々の方法のうちのほんの幾つかを示したものであり、そして記述される実施の形態はそのような態様の全て及びそれらの均等物を含むように意図される。
【図面の簡単な説明】
【００１６】
【図１】ここで記述される種々の態様による無線通信システムの例示である。
【図２】無線通信環境内で使用するための実例通信装置の例示である。
【図３】グループ別レート制御スキーム（per group rate control scheme）を実行する実例無線通信システムの例示である。
【図４】MIMO環境でコードワード置換を有効にする例無線通信システムの例示である。
【図５ａ】本開示の１つの態様による実例の置換スキーム（permutation schemes）の例示である。
【図５ｂ】本開示の１つの態様による実例置換スキームの例示である。
【図５ｃ】本開示の１つの態様による実例置換スキームの例示である。
【図５ｄ】本開示の１つの態様による実例置換スキームの例示である。
【図５ｅ】本開示の１つの態様による実例置換スキームの例示である。
【図５ｆ】本開示の１つの態様による実例置換スキームの例示である。
【図５ｇ】本開示の１つの態様による実例置換スキームの例示である。
【図６】置換（permutation）によってMIMOシステムのためのフィードバックを低減することを促進する実例方法の例示である。
【図７】置換されたコードワード送信（permuted codeword transmissions）に基づいてフィードバックを生成する実例方法の例示である。
【図８】グループ別レート制御スキーム（per group rate control scheme）を使用するMIMOシステムにおいてコードワード置換を利用することによりフィードバックを低減することを促進する実例モバイルデバイスの例示である。
【図９】コードワード置換に基づいてMIMO環境における伝送を制御するために要求されるフィードバックの量を減らすことを促進する実例システムの例示である。
【図１０】ここに記述される種々のシステム及び方法と共に使用することができる実例無線ネットワーク環境の例示である。
【図１１】置換された形式（permuted form）でコードワードを送信することによりフィードバックを低減することを促進する実例システムの例示である。
【図１２】置換されたコードワードに基づいて、低減されたフィードバックを計算する実例システムの例示である。
【詳細な説明】
【００１７】
全体にわたって同様の参照番号は同様の要素を示すために用いられる図面を参照して、種々の実施形態がいま説明される。下記の記述では、１つ又は複数の実施形態についての完全な理解を提供するために、説明の目的で、多数の特定の詳細が述べられる。しかし、そのような実施形態はそれらの特定の詳細なしで実施できることが明らかでありうる。他の実例では、１つ又は複数の実施形態について記述することを容易にするために、公知の構造及び装置がブロック図の形で示される。
【００１８】
本願で使用されるように、「コンポーネント」、「モジュール」、「システム」、などの用語は、ハードウェア、ファームウェア、ハードウェアとソフトウェアの組み合わせ、ソフトウェア、あるいは実行中のソフトウェアのいずれかであるコンピュータ関連の実体を指すように意図される。例えば、コンポーネントは、プロセッサ上で走るプロセス、プロセッサ、オブジェクト、実行可能、実行のスレッド、プログラム、及び／又はコンピュータであってもよいが、それであることに限定されない。例示として、計算装置上で走るアプリケーション及び計算装置は両方とも、コンポーネントでありうる。１つ又は複数のコンポーネントがプロセス及び／又は実行のスレッド内に存在することができ、また、１つのコンポーネントは１台のコンピュータで局所化されてもよく及び／又は2台以上のコンピュータ間で分配されてもよい。さらに、これらのコンポーネントは、その上に格納された各種データ構造を有する種々のコンピュータ読取り可能な媒体から実行することができる。コンポーネントは、１つ又は複数のデータ・パケットを有する信号(例えばローカル・システム、分布されたシステムにおける他のコンポーネントと相互作用する１つのコンポーネントからの及び／又はその信号経由の他のシステムを有するインターネットのようなネットワークにおけるデータ)に従ってローカルの及び／又は遠隔のプロセス経由で通信してもよい。
【００１９】
さらに、モバイルデバイスに関して種々の実施形態がここに記述される。モバイルデバイスはまた、システム、加入者ユニット、加入者局、移動局、移動体、遠隔局、遠隔端末、アクセス端末、ユーザ端末、端末、無線通信装置、ユーザ・エージェント、ユーザ装置あるいはユーザ設備(UE)と呼ぶことができる。モバイルデバイスは、携帯電話、コードレス電話、セッション・イニシエーション・プロトコル(SIP)電話、無線ローカル・ループ(WLL)局、携帯情報端末(PDA)、無線接続能力を持っているハンドヘルド装置、計算装置あるいは無線モデムに接続された他の制御演算装置であってもよい。さらに、基地局に関連して、種々の実施形態がここに記述される。基地局はモバイルデバイスと通信するために利用されることができ、また、アクセス・ポイント、ノードBあるいは他のある用語で呼ばれてもよい。
【００２０】
さらに、ここに記述される種々の態様又は特徴は、標準プログラミング及び／又はエンジニアリング技術を用いて、方法、装置、あるいは製造物として実装されうる。ここに使用される「製造物」という用語は、任意のコンピュータ読取り可能装置、キャリアあるいは媒体からアクセス可能なコンピュータ・プログラムを包含するように意図される。例えば、コンピュータ読取り可能媒体は、磁気記憶装置(例えばハードディスク、フロッピー（登録商標）ディスク、磁気ストリップなど)、光ディスク(例えばコンパクト・ディスク(CD)、ディジタル・バーサタイル・ディスク(DVD)など)、スマート・カード及びフラッシュメモリ装置(例えばEPROM、カード、ステイック、キー・ドライブなど)を含むことができるが、それらに制限されていない。さらに、ここに記述される種々の記憶媒体は、情報を格納するための１つ又は複数の装置及び／又は他の機械読取り可能媒体を表わすことができる。「機械読取り可能媒体」という用語は、無線チャネル及び命令及び／又はデータを格納する、含む、及び搬送することができる種々の他の媒体を、それらに限定されることなしに、含むことができる。
【００２１】
図1をいま参照すると、無線通信システム100は、ここに提示される種々の実施形態に従って例示される。システム100は、複数のアンテナ・グループを含んでいてもよい基地局102を含む。例えば、1つのアンテナ・グループはアンテナ104及び106を含んでいてもよく、他のグループはアンテナ108及び110を含んでいてもよく、また、他のグループはアンテナ112及び114を含んでいてもよい。2本のアンテナが各アンテナ・グループに対して例示されるが、各グループに対して、より多い又はより少ないアンテナが利用されてもよい。基地局102は、送信機チェーン及び受信機チェーンをさらに含んでいてもよく、それらのチェーンはそれぞれ、信号送信及び受信に関連する複数のコンポーネント（例えば、プロセッサ、変調器、マルチプレクサ、復調器、デマルチプレクサ、アンテナなど)を備えうることが、当業者には理解されるであろう。
【００２２】
基地局102は、モバイルデバイス116及びモバイルデバイス122のような１つ又は複数のモバイルデバイスと通信してもよいが、基地局102はモバイルデバイス116及び122に類似した実質的に任意の数のモバイルデバイスと通信してもよいことが認識されるべきである。モバイルデバイス116及び122は、例えば、携帯電話、スマートフォン、ラップトップ、携帯型の通信装置、携帯型の計算装置、衛星ラジオ、全地球測位システム、PDA、及び／又は無線通信システム100で通信するための他の任意適当な装置であってもよい。図示されているように、モバイルデバイス116はアンテナ112及び114と通信状態にあり、そこでは、アンテナ112及び114はフォワード・リンク118によってモバイルデバイス116に情報を送信し、そして、リバース・リンク120によってモバイルデバイス116から情報を受信する。さらに、モバイルデバイス122はアンテナ104及び106との通信状態にあり、そこでは、アンテナ104及び106はフォワード・リンク124によってモバイルデバイス122に情報を送信し、そして、リバース・リンク126によってモバイルデバイス122から情報を受信する。周波数分割多重(FDD)システムでは、フォワード・リンク118はリバース・リンク120によって使用されるのとは異なる周波数帯を利用してもよく、そして、例えば、フォワード・リンク124はリバース・リンク126によって使用されるのとは異なる周波数帯を使用してもよい。さらに、時分割複式(TDD)システムで、フォワード・リンク118及びリバース・リンク120は共通の周波数帯を利用してもよく、そして、フォワード・リンク124及びリバース・リンク126は共通の周波数帯を利用してもよい。
【００２３】
アンテナの組及び／又はそれが通信するために指定されるエリアは、基地局102のセクターと呼ばれてもよい。例えば、複数のアンテナ（multiple antennas）が、基地局102によってカバーされたエリアのセクター内のモバイルデバイスと通信するように設計されてもよい。フォワード・リンク118及び124による通信では、基地局102の送信アンテナは、モバイルデバイス116及び122のためのフォワード・リンク118及び124のSN比を改善するためにビームフォーミング(beamforming)を利用してもよい。また、基地局102は関連するカバレージにランダムに分散したモバイルデバイス116及び122に送信するためにビームフォーミング(beamforming)を利用している間に、近隣のセルにおけるモバイルデバイスは、単一のアンテナでそれの全てのモバイルデバイスに送信する基地局と比較して少ない干渉を受けることになりうる。
【００２４】
１つの例によれば、システム100は多重入力多重出力(MIMO)通信システムであってもよい。さらに、システム100は、FDD、TDD、などのような通信チャンネル(例えばフォワード・リンク、リバース・リンク、...)を分割するために任意のタイプの多重化技術を利用してもよい。さらに、システム100は、後の送信を改善しかつ各コードワードに対する空間的ダイバーシチ（spatial diversity）を増加させるのに必要なフィードバックの量を減らすためにコードワード置換を使用してもよい。例示に準じて、基地局102は、フォワード・リンク118及び124によってモバイルデバイス116及び122へ送信してもよい。基地局102は、MIMO通信システム内のアクテイブ・アンテナの数及びコードワードと層との対応のレベルに基づいて、アンテナ・グループ及び／又は層の間でコードワードを混合してもよい。基地局102は、コードワードを置換された形式（permuted form）でフォワード・リンク118及び124によってコードワードを送信し、各コードワードはMIMO通信システムでのすべての選択されたアンテナ上で一部送信する。モバイルデバイス116及び122はそれぞれのフォワード・リンク118及び124によって基地局102から置換された送信（permuted transmission）を受け取る。モバイルデバイス116及び122は、基地局102によって使用される置換スキームを認識している。従って、モバイルデバイス116及び122は、各フォワード・リンク118及び124を通じて置換されたコードワード（permuted codewords）を受け取った後に、当初のコードワードを混合せずかつ再構成することができる。さらに、モバイルデバイス116及び122は、置換された送信と関係する基地局102へ提供されるべきフィードバックを決定してもよい。例えば、モバイルデバイス116及び122は、各個々のチャネル、アンテナ、コードワードなどに対する個別の値を提供するのとは対立するように圧縮フィードバック・メトリック（condensed feedback metric）を利用してもよい。１つの実例に従って、すべてのフォワード・リンク・チャネル正確に表す単一の品質値が、モバイルデバイス116及び122のうちの1つから基地局102に送信されてもよいが、請求された主題はそのように限定されない。このフィードバックは、リバース・リンク・チャネルを通して基地局102へ送信されてもよい。
【００２５】
基地局102はモバイルデバイス116及び122からチャネル関連フィードバックを得てもよい。さらに、基地局102は、モバイルデバイス116及び112への後の送信を調節するためにフィードバックを利用してもよい。１つの例によれば、基地局102は、出力ストリームの置換(すなわち、出力アンテナ間で出力ストリームを混合すること)に従ってMIMO環境内で複数の出力ストリームをモバイルデバイス116に送信する。その複数の出力ストリームは、置換されるときに、すべての出力ストリームに関連する単純化されたフィードバックをモバイルデバイス116から基地局102へ提供することを可能にするために、送信時に、平均して、実質的に同様の状態を経験する。同様に、基地局102及びモバイルデバイス122は実質的に同様のやり方で置換を使用してもよい。さらに、モバイルデバイス116及び122は、干渉除去技術を使用してもよい。基地局102は、フォワード・リンク・チャネル上のすべての出力ストリームのための後の送信を調節するために単純化されたフィードバック(例えば、平均チャネル質指標及び１つ又は複数の増分チャネル品質指標で構成された)を利用してもよい。
【００２６】
図2を参照すると、無線通信環境内で使用するための通信装置200が例示されている。通信装置200は基地局又はそれの一部分あるいはモバイルデバイス又はそれの一部分であってもよい。１つの例示によれば、通信装置200は、データ伝送を送受信するために複数のアンテナが使用されるMIMOシステムで使用することができる。そのアンテナは物理的アンテナ又は仮想アンテナであってもよい。物理的アンテナは、信号を放射するために使用されたアンテナであり、また、典型的には制限された最大送信電力を有する。仮想アンテナはデータが送信されうるアンテナであるが、仮想アンテナは必ずしも信号を放射しない。１つの例によれば、仮想アンテナは、係数のベクトルによって複数の物理的アンテナを組み合わせることにより形成されたビームに関連されうる。マルチプル仮想アンテナは、種々の写像技術によって各仮想アンテナをいくつかの又はすべて物理的アンテナに関連づけることによって可能である。
【００２７】
通信装置200はマルチ・コードワードMIMOシステムに適用可能である。1つのマルチコードワードMIMOスキームは、アンテナ別レート制御（Per Antenna Rate Control）(PARC)又は選択的アンテナ別レート制御（Selective Per Antenna Rate Control）(SPARC)である。 (S)PARCスキームでは、1つのコードワードはMIMOシステムの1つの層に対応する。層は、データ・ストリーム、物理的アンテナ、仮想アンテナ等であってもよい。従って、(S)PARCのスキームでは、各々、物理的及び／又は仮想アンテナは個別のデータ・ストリームを同時に送信し及び／又は受信する。各データ・ストリームは、とりわけデータ・ストリームを伝送するチャネルが受ける干渉に基づいて変化するデータ転送速度を変えることにより符号化することができる。空間的に識別できる複数のチャネルを作るために複数の送信アンテナ及び複数の受信機アンテナを使用することにより高い処理能力が達成される。MIMOシステムによって提示される1つの困難は、各チャネルの処理能力を最大化しかつ最大化を達成するのに必要なフィードバックの量を最少化することである。例えば、送信機がすべてのチャネル上でデータ転送速度の調節により処理能力を最大限にすることができるように、チャネル品質指標(CQI)が各チャネルに対してフィードバックされる。CQIは、信号対ノイズ比(SNR)、信号対干渉プラスノイズ比(SINR)、又は他のこのようなメトリクス及び／又はそのような測定された量から計算した値を含むことができる。このフィードバックに基づく処理能力最大化手法は、複数のチャネルのそれぞれに対してCQIを提供する際に大量のアップリンク又はリバース・リンク・リソースを消費する。
【００２８】
通信装置200は、複数のアンテナ上のデータ・ストリームを変更するパーミュータ（permuter ）202を含むことができる。 (S)PARCスキームでは、各データ・ストリームが物理的アンテナ及び／又仮想アンテナのすべて又は選択されたサブセットによって一部送信されるように、パーミュータ202は層置換（layer permutations）を行なうことができる。例えば、MIMOシステムは4つの物理的アンテナを有することができ、そして、それら4本のアンテナのそれぞれで個別のデータ・ストリームを送信することができる。所定のデータ・ストリームの部分が4本すべてのアンテナすべて上で送信するように、パーミュータ202は、データ・ストリームのフレームを置換（permutes）する。前もって、データ・ストリームは慣例通りに符号化され、インターリーブ（interleaved）され、そして変調記号にマップ化（mapped）される。しかし、送信アンテナによる送信に先立って、変調記号はパーミュータ 202によって巡回又は擬似ランダムパターンに従って混合される。制限ではなく例示として、各データ・ストリームの第１のブロックはMIMOチャネルの第１の組合せによって送信される。例えば、1〜4の番号を付けられた4つのデータ・ストリームが、1〜4の番号を付けられた4つのMIMOチャネルによって送信されるべきである。データ・ストリーム1〜4の第１の各ブロックはMIMOチャネル1〜４によって送信することができる。その後、データ・ストリーム1〜4の第２のブロックはMIMOチャネル2、3、4及び1によってそれぞれ送信することができる。第３のブロックは、チャネル3、4、1及び2によってそれぞれ送信することができる。残りのブロックは、のそれぞれによって4つの単純な巡回する置換あるいはMIMOチャネル1〜4の完全な24の可能な置換を巡回させることにより、このようにして送信することができる。2つあるいは3つのストリームだけが送信される場合、巡回置換又は擬似ランダム置換は、物理的アンテナ及び／又は仮想アンテナの選択されたサブセットだけに適用することができる。各ブロックは、周波数領域送信(例えばOFDMA)における各サブキャリア又はサブキャリアのグループに対応してもよい。さらに、各ブロックは、時間領域送信(例えば単一のキャリアFDMA、CDMAなど)における各時間領域記号又は記号のグループに対応してもよい。
【００２９】
チャネル組合せの完全な置換に従って１つのセットのMIMOチャネル上でデータ・ストリームを置換することは、圧縮メトリック（condensed metric）をフィードバックとして利用できるようにする。各データ・ストリームのブロックはすべてのMIMOチャネルを通して送信される。従って、チャネルが置換の各周期に対するデータ・ストリームのブロックの送信の間にほぼ静的のままであれば、データ・ストリームのそれぞれは平均して同じチャネル条件を経験している。同様のチャネル条件は、同様のCQI(例えばSNR、SINR又は他のそのようなメトリック)を生ずる。例えば、各データ・ストリームのそれぞれに対する各SNRsは、行儀がよく（well behaved）、かつ複数のデータ・ストリームに対して行われる逐次干渉除去に基づいてのみ変化しなければならない。それぞれのSNRは、各MIMOチャネルに対する個別のSNR測定を提供するよりもコンパクトな圧縮形式（condensed form）によって相当な精度で表わすことができる。例えば、圧縮形式は、基準SNR及びデルタ又は差分SNRを含むことができる。基準SNRは、第１の復号データ・ストリームのSNR値に対応することができる。また、デルタSNR値は、逐次干渉除去から生じる連続データ・ストリーム間の差に対応する。
【００３０】
置換されたデータ・ストリームの送信機は、リバース・リンク又はアップリンクによって圧縮SNR（condensed SNR）を受け取る。その送信機は、連続データ・ストリームを符号化するデータ転送速度を調節するために圧縮SNR値を使用することができる。例えば、その送信機は、圧縮SNRに含まれた基準SNRが1つのデータ・ストリームに対する受信機によって測定されたSNRと等しいと仮定する。送信機は、一致するデータ・ストリームのデータ転送速度を調節するためにこのSNRを利用するであろう。第2のデータ・ストリームについては、送信機は測定されたSNRが、基準SNR及びデルタSNRの和と等しいと仮定し、データ転送速度をそれに対応して調節する。次のデータ・ストリームについては、送信機は、その後の各データ・ストリームに対するデータ転送速度等を調節するために基準SNRとデルタSNRの２倍との和を利用する。
【００３１】
受信機側では、装置200に類似した対応する通信装置が、パーミュータ204によって混合された置換されたデータ・ストリームを受け取る。通信装置200が基地局又はそれの一部分である場合には、受信機側通信装置はモバイルデバイス又はそれの一部分であってもよい。逆に、通信装置200がモバイルデバイス又はそれの一部分である場合には、受信機側装置は基地局又はそれの一部分であってもよい。受信機側装置は、送信された置換たデータ・ストリームをアンミックス(unmixes)する再構成器（reconstructor）204を含む。再構成器204は、チャネルを横切ってデータ・ストリームを混合するためにパーミュータ202によって使用される置換スキームを認識している。再構成器204は、MIMOチャネルのそれぞれからブロックを受け取り、そして、オリジナルのデータス・トリームデータス・トリームを再構成する。再構成されたデータ・ストリームは、上述のようにデータ・ストリームのSNRs又はいくつかの他のCQI値を決定するために、フィードバック評価器206によって分析される。あるいは、参照信号又はパイロット信号によって得られたMIMOチャネル評価は、SNRs又は他のCQI値を得るための置換スキームと共に使用することができる。
【００３２】
通信装置200は、上述された(S)PARCのスキームに加えて種々のマルチコードワードMIMOシステムで使用することができる。例えば、通信装置200は、グループ別レート制御(PGRC)マルチコードワードMIMOスキームに対して適用可能である。
【００３３】
図3を簡単に参照すると、PGRCスキームを実行するする例示的な無線通信システム300が例示されている。システム300は、2つのデータ・ストリーム(すなわち、データ・ストリーム1及びデータ・ストリーム2)及び送信アンテナ316-322を含む。したがって、システム300は4x4 MIMOシステムとして記述できる。MIMOシステムを拡張するために追加のアンテナ及びデータ・ストリームを利用することができることが認識されるべきである。データ・ストリーム1は符号器302によって第１のデータ転送速度で符号化される。１つの例では、符号器302はデータ・ストリーム1を指定された長さの2進ブロックに分割し、そして、それらのブロックは2進コードワードにマップ化（mapped）される。データ・ストリーム1に関連したコードワードは、インターリーバ(interleaver) 304によってインターリーブされる。インターリービングは、データ・ストリームのブロックがパフォーマンスを改善するように非連続の態様で再配列又は再順序付けされるプロセスである。マッパー306は、インターリーブされたストリームを受け取り、そして、それをアンテナによって送信されるべき変調記号にマップ化する。符号器308、インターリーバ310及びマッパー312は、データ・ストリーム2に関して同様のオペレーションを行なう。
【００３４】
データ・ストリームの処理に続いて、グループ分け回路314は、複数のアンテナ316-322間に符号化されたデータ・ストリームを分配する。1つの可能な分配では、アンテナ316は、符号化されたデータ・ストリーム1の第１の部分を送信することができ、また、アンテナ318は、符号化されたデータ・ストリーム1の第２の部分を送信することができる。従って、アンテナ320及び322は、符号化されたデータ・ストリーム2の第１及び第２の部分をそれぞれ送信する。種々の他のグループ分けを使用することができることが認識されるべきである。例えば、グループ分け回路314は、符号化されたデータ・ストリーム1に対してアンテナに316及び320を割当て、そして符号化されたデータ・ストリーム2に対してアンテナ318及び322を割り当てることができる。2つのデータ・ストリーム及び4つのアンテナを備えた図3に描かれた例示的なシステムでは、グループ分け回路314は6つの可能な組合せの中で選ぶことができる。報告されたチャネル・ランクに応じて、アンテナの一部だけが選択され、そして、データ伝送のために利用される。例えば、アンテナ316、318及び320だけが2つのデータ・ストリームを送信するために使用されてもよい。この場合には、データ・ストリーム1はアンテナ316を通して送信されてもよく、また、データ・ストリーム2はアンテナ318及び320を通して送信されてもよい。アンテナ316-322は物理的アンテナ及び／又は仮想アンテナのいずれでもよいことが認識されるべきである。
【００３５】
図2に参照すると、(S)PARCのスキームに関して上述された置換及び差分フィードバック概念は、PGRCマルチ・コードワード・スキームに適用することができる。 (S)PARCスキームでは、1つのコードワードは1つの層(例えば、データ・ストリーム、物理的アンテナ、仮想アンテナ...)に対応する。図3に関して記述されたPGRCスキームでは、1つのコードワードは1つ又は2つの層に対応する。言いかえれば、1つの符号化されたデータ・ストリームは、1本又は２本のアンテナで送信することができる。１つのコードワードは本の物理的アンテナ又は仮想アンテナに対応することができるから、層レベルで置換することは、ある場合には、所望の性能向上を達成することができない。多くの層組合せがオリジナルと実効的に同一の配列を生ずる。2本のアンテナの特定のグループに関連したコードワード部分で唯一の差異はスワップ（swapped）される。言いかえれば、１つのコードワードの第１の部分が第１のアンテナで送信され、そして、１つのコードワードの第２の部分が第２のアンテナで送信される場合には、１つの可能な層置換は、第１の部分が第２のアンテナで送信されかつ第２の部分は第１のアンテナで送信されることになるだけである。従って、PGRCスキームでは、置換は、理想的には、コードワード・レベルに生じるべきである。
【００３６】
パーミュータ202は、アクテイブな物理的アンテナ又は仮想アンテナの数及び各コードワードに結合された層の数に従ってコードワードを置換する。例えば、PGRCスキームを使用する4x4 MIMOシステム(すなわち、4つの入力層及び4つの出力層)では、パーミュータ202及び通信装置200は、コードワード一致及びアンテナ活動に依存する4つの動作のうちの1つを行なう。第１に、1本のアンテナだけがアクテイブである場合には、通信装置200は唯一のアクテイブ・アンテナを通して1つのストリームとしてデータを送信する。この事例では１つの組合せしかないので、パーミュータ202は、データ・ストリームを置換しない。第２に、2本のアンテナがアクテイブであり、そして、コードワードが２つの層に対応する場合には、通信装置200は、１つのグループとしての２つのアクテイブ・アンテナを通して送信する。データ・ストリームの第１の部分は、２本のアンテナのうちの1つを通して送信し、そして、第２の部分は、そのグループの他のアンテナを通して送信する。パーミュータ202は、2本のアンテナによって送信されたデータ・ストリーム部分を対称的に置換することができるが、そのようなアクションはいかなる付加的な利益をも達成しない。この状況では、データ転送速度調節にとって不可欠なフィードバックは、2つのアクテイブ・アンテナの平均有効SINRを反映する基礎CQIである。
【００３７】
第3に、2本のアンテナがアクテイブであり、かつ、各コードワードが単一の層に対応する場合には、2つのコードワードがある。通信装置200は、データを符号化された２つのストリームとして異なるデータ転送速度で送信し、この場合、各ストリームを2本のアクテイブ・アンテナのうちの1つを通して送信する。パーミュータ202は、2本のアクテイブ・アンテナを横切って2つのコードワードを対称的に置換する。この例では、与えられたコードワードの連続ブロックは異なるアンテナを通して送信される。例えば、コードワードの第１のブロックは第１のアナテナを通じて、第２のブロックは第２のアンテナを通じて、第３のブロックは第１のアンテナを通じてというように送信される。第２のコードワードのブロックは、相補的な置換パターンに従う。このようにコードワードを置換することは、各コードワードが実質的に同じチャネル条件を経験することになる。したがって、フィードバックは、コードワードのうちの1つのSINRを反映する基礎CQIと、逐次干渉除去によって1つのコードワードの干渉を取り消すことにより得られたSINR利得を反映する差分CQIを含む。さらに、報告されたCQIが報告遅れ、チャネル評価誤り及び他により不正確な場合には、各コードワードは、システムの堅牢性を改善する増加した空間ダイバーシテイを経験することができる。したがって、2本のアンテナがアクテイブであり、かつ、各コードワードが1つの層に対応している場合、パーミュータ202は、以述された(S)PARCスキームと本質的に同じことをPGRCスキームで行なう。
【００３８】
第4に、3本のアンテナがアクテイブである場合には、１つのコードワードは単一の層に対応してもよく、一方、他のコードワードは2つの層に対応してもよい。この場合には、パーミュータ202は、3本のアクテイブ・アンテナを横切って2つのコードワードを対称的に置換すべきである。従って、パーミュータ202は、コードワードと層との対応がすべてのコードワードに等価でない状況で動作することができる。
【００３９】
最後に、4本のアンテナがアクテイブであり、そして、各コードワードが2つの層に対応する場合には、通信装置200は、データを、符号化された２つのデータ・ストリームとして、異なるデータ転送速度で送信し、各データ・ストリームは２本のアンテナのグループを通して送信する。パーミュータ202は、アンテナの2つのグループを横切って2つのコードワードを対称的に置換する。適用される置換スキームは、利用されてアンテナ・グループ分けに依存する。置換スキームの詳細は以下に記述される。
【００４０】
置換されたコードワードは、空間ダイバーシテイに関して改善し、そして、行儀の良いSINR値を生ずる実質的に同様のチャネル条件を経験する。受信機は、第2のデータ・ストリームのSINRを改善するために逐次干渉除去を使用する。受信機側の再構成器204は2つのコードワードをアンミックス（unmix）する。再構成器204は、コードワードを混合するために送信機のパーミュータ202によって利用された置換スキームを認識している。2つのコードワードのうちの1つは再構成されかつ復号される。フィードバック評価器206は、最初の復号されたコードワード又はデータ・ストリームのSINR値を測定する。フィードバック評価器206は、それが送信の間に生じた干渉を再構成又は再生するために復号されたデータ・ストリームを使用する。再生された干渉は、データ・ストリームの重ね合せから取り消すことができる。したがって、第2のデータ・ストリーム又はコードワードは、より少ない干渉をもって復号することができ、ストリームに対するより高いSINR値を生ずる。従って、本質的なフィードバックは、最初の復号されたコードワード又はデータ・ストリームのSINRを表わす基礎CQI、及び逐次干渉除去によって第１のコードワードの干渉を取り消すことにより得られるSINR利得を表わす差分CQI（differential CQI）である。
【００４１】
図4を参照すると、PGRCスキームを使用するMIMOシステムでのコードワード置換を有効にする無線通信システム400が例示されている。システム400は、2つのデータ・ストリーム(すなわち、データ・ストリーム1及びデータ・ストリーム2)及び４本の送信アンテナ316-322を含む。したがって、システム400は4x4 MIMOシステムである。データ・ストリーム1は符号器302によって第１のデータ転送速度で符号化される。１つの例では、符号器302は、データ・ストリーム1を指定された長さの2進ブロックに分割し、そして、それらのブロックは2進コードワードにマップ化（mapped）される。データ・ストリーム1に関連したコードワードは、インターリーバ304によってインターリーブされる。インターリービングは、データ・ストリームのブロックがパフォーマンスを改善するように非連続の態様で再配列又は再順序付けされるプロセスである、マッパー306は、インターリーブされたストリームを受け取り、そして、それをアンテナによって送信されるべき変調記号にマップする。符号器308、インターリーバ310及びマッパー312は、データ・ストリーム2に関して同様のオペレーションを実行する。
【００４２】
データ・ストリームの処理に続いて、グループ分け回路314は、複数のアンテナ316-322間に符号化されたデータ・ストリームを分配する。1つの可能な分配では、アンテナ316は、符号化されたデータ・ストリーム1の第１の部分を送信することができ、そして、アンテナ318は、符号化されたデータ・ストリーム1の第２の部分を送信することができる。従って、アンテナ320及び322は、符号化されたデータ・ストリーム2の第１及び第２の部分をそれぞれ送信することができる。種々の他のグループ分けを使用することができることが認識されるべきである。例えば、グループ分け回路314、符号化されたデータ・ストリーム1に対してアンテナに316と320を、そして、符号化されたデータ・ストリーム2に対してアンテナ318及び322を割当てる。2つのデータ・ストリーム及び4本のアンテナを備えた図4に図示された例示的なシステムでは、グループ分け回路314は6つの可能な組合せ間で選択することができる。
【００４３】
システム400は、本開示の1つの態様に従ってコードワード置換を促進するパーミュータ402をさらに含んでいる。パーミュータ402は、グループ分け回路314からアンテナ・グループ分けを受け取り、そして、両方のアンテナ・グループに関する2つのコードワードを対称的に混合又は置換する。いくつかの例示的な置換スキームが、図5a-5cに関して以下に示される。例示的なシステム400では、アクテイブ・アンテナの数は4であると仮定され、その場合には、各コードワードを2つのアンテナにマップする６つの可能なアンテナ・グループ分けと、６つの対応するコードワード間置換スキームがある。さらに、各コードワード間置換のために、4つの異なるコードワード間置換スキームがあるが、この例では、コードワード間置換のための異なるコードワード置換スキームは、システム堅牢性、空間ダイバーシテイ、及び／又はフィードバック情報減少をさらに改善することには寄与しない。置換に続いて、１つのコードワードの各ブロックが、先行ブロックとは異なるアンテナ・グループを通して送信される。例えば、コードワードの第１のブロックがアンテナ316及び318を含むアンテナ・グループを通して送信される場合には、コードワードの第2のブロックは、アンテナ320及び322を含む第２のアンテナ・グループを通して送信される。
【００４４】
図5a〜図５gをいま参照すると、例示的なコードワード置換スキームは図示されている。説明の簡単のために、実例は4つのアンテナ及び2つのコードワードを示す。当業者は、この置換スキームが、それより多い又は少ない数のアンテナ及びコードワードを含むシステムにどのように適用することができるかを認識すべきである。図示されたスキームは、図4のシステム400に利用されたものの例示である。システム400では6つの可能なアンテナ・グループ分けは可能であるが、3つのグループ分けは他の3つグループ分けの対称的な鏡映（reflections）である。従って、図5a〜図5gは、鏡映の無い（absent the reflections）3つの全体的なグループ分けを個々的に例示する。
【００４５】
図5aを参照すると、置換スキームが図示されている。従来のPGRCスキームでは、コードワード1がアンテナ1及び2を含むアンテナ・グループを通して送信される。コードワード2はこのようにして、アンテナ3及び4のアンテナ・グループを通して送信される。対称的な鏡映では、コードワード1はアンテナ3及び4を通して送信され、そして、コードワード2はアンテナ1及び2を通して送信される。コードワード置換を備えたPGRCでは、コードワード1及びコードワード2の両方が、図示のように両方のアンテナ・グループ分けを通して送信される。
【００４６】
図5bを参照すると、他の可能な置換スキームが例示されている。当初のPGRCグループ分けの下で、アンテナ1及び3はコードワード1を送信し、そして、アンテナ2及び4はコードワード2を送信する。対称的なグループ分けでは、コードワード1はアンテナ2及び4を通して送信し、そして、コードワード2はアンテナ1及び3を通して送信する。コードワード置換に続いて、各コードワードは、4本のアンテナすべてを通して送信する。特に、各コードワードの連続ブロックは交互のグループで送信する。例えば、図5bでは、コードワード1の最初のブロックはアンテナ1及び3を通して送信し、そして、次のブロックはアンテナ2及び4を通して送信する。
【００４７】
図5cをいま参照すると、他の置換スキームは例示されている。当初のPGRCでは、コードワード1はアンテナ1及び4を通して送信され、また、コードワード2はアンテナ2及び3を通して送信される。コードワード置換に続いて、コードワード1及び2は、図示のように4本のアンテナすべてを通して送信される。
【００４８】
図5dをいま参照すると、他の置換スキームが例示されている。この例では、3本のアクテイブ・アンテナ及び2つのコードワードがある。コードワード１は１つの層だけに対応し、一方、コードワード２は２つの層に対応する。当初のPGRCでは、コードワード1はアンテナ1を通して送信され、そして、コードワード2はアンテナ2及び3を通して送信される。コードワード置換に続いて、コードワード1及び2は3本のアクテイブ・アンテナすべてを通して送信される。図5dは巡回する置換パターンを描いているが、開示された主題はそのように制限さない。例えば、コードワードは擬似ランダムパターンに従って置換することができる。さらに、コードワード2は以下に記述されるようなイントラ・コードワード置換（intra-codeword permutation）を受けてもよい。
【００４９】
図5eを参照すると、他の例示置換スキームが例示されており、インター・コードワード間置換及びイントラ・コードワード置換を図示する。インター・コード置換はアンテナ・グループを横切るコードワードの置換である。イントラ・コードワード置換はアンテナ・グループ内でコードワードを置換することに関係がある。例えば、図5eは、コードワードのそれぞれの部分を示すラベルを追加して、図5cに図示されたものと類似のインター・コードワード置換スキームを図示する。当初のPGRCでは、コードワード1のＡを付けられた部分は、アンテナ1を通して送信され、Bを付けられた部分はアンテナ4を通して送信される。同様に、コードワード2のXをつけられた部分はアンテナ2を通して送信され、また、Yを付けられた部分は、アンテナ3を通して送信される。置換の後では、Aを付けられた部分はアンテナ1及び2 (あるいはアンテナ1及び3)を通して送信されるだけでなく、むしろ、4本のアンテナすべてを通して送信する。B、X及びYを付けられた部分は、同様に置換されかつ送信される。したがって、主題開示の1つの態様によれば、イントラ・コードワード置換がインター・コードワード置換と共に生じる場合がある。
【００５０】
図5fをいま参照すると、他の例示置換スキームが例示されており、当初のアンテナ・グループ分けには関係なくコードワード置換を図示している。当初のPGRCでは、コードワード1及びコードワード2は2層に対応する。コードワード1はアンテナ1及び2上で送信され、また、コードワード2はアンテナ3及び4上で送信される。置換の後では、コードワード1及び2は両方とも、図5a-cに関して前述されたすべての置換パターンの巡回に基づいて4本のアンテナすべてを通して送信される。本開示の１つの態様によれば、置換は当初のアンテナ・グループ分けに制限されない。例えば、図示のように、アンテナ1及び2を含むグループは、両方のコードワードの部分を同時に送信することができる。
【００５１】
図5gをいま参照すると、さらに他の置換スキームが例示されている。図5gは、図5eに示されたイントラ・コードワード置換及び図5fに示されたような当初のアンテナ・グループ分けに関係のない置換を示している。当初のPGRCでは、コードワード1のＡを付けられた部分はアンテナ1を通して送信され、そして、Ｂをつけられた部分を通してアンテナ4を通して送信される。同様に、コードワード2のXをつけられた部分はアンテナ2を通して送信され、また、Yを付けられた部分はアンテナ3を通して送信される。置換の後では、A、B、X及びYを付けられた部分は、当初のグループ分けに関係なく4本のアンテナすべてを通して送信される。例えば、Aを付けられた部分がアンテナ2上で送信することができる場合には、Bを付けられた部分は、アンテナ3(すなわち、当初のグループ分けにおける第2のアンテナ)に制限されない。したがって、主題開示の1つの態様によれば、十分な置換が生じることができる。
【００５２】
図6-7を参照すると、マルチ・コードワードMIMOシステムにおいてコードワードを置換することに関係する方法が例示されている。説明の簡単の目的のために、これらの方法は一連の行為として図示されかつ説明されるが、１つ又は複数の実施の形態によれば、いくつかの行為が異なる順序で及び／又は図示されかつここに説明されるもの以外の行為と同時に生ずることがありうるので、これらの方法は行為の順序によって制限されないことが理解されかつ認識されるべきである。例えば、当業者は、１つの方法が、状態図におけるように相互に関係する一連の状態又は事象として代替的に表わされうることを理解しかつ認識するであろう。さらに、すべての例示された行為が、１つ又は複数の実施形態に従って方法を実施するために要求されるとは限らなくてもよい。
【００５３】
図6を参照すると、送信に先立つ置換されたコードワードによってMIMOシステムのためのフィードバックを低減することを促進する方法600が例示されている。602で、アンテナ・グループは決定される。１つのアンテナ・グループは、MIMOシステムの1本の又はそれより多い物理的又は仮想のアンテナを含むことができる。アンテナ・グループは、MIMO構成、アクテイブ・アンテナの数、送信されるストリームの数、及びデータ・ストリームが符号化される方法に基づいて決定される。例えば、4本のアクテイブ・アンテナ及び2つのストリームを備えたMIMO構成では、2本のアンテナの2つのグループがそれぞれ使用することができる。604で、コードワードはアンテナ・グループに関して置換される。コードワードのブロックあるいは部分はアンテナ・グループの組合せ又は置換に基づいて混合される。組合せの数は、グループのサイズ及びMIMO構成に依存する。例えば、2本のアンテナを各々含むアンテナ・グループを備えた4x4 MIMO構成は、2つのアンテナ・グループ及び従って2つの置換又は組合せがある。606で、置換されたコードワードは、コードワードがそれぞれ一部分、すべてのアンテナを通して送信されるアンテナ・グループによって送信される。
【００５４】
図7をいま参照すると、MIMO環境の中で送信される置換されたコードワードに基づいたフィードバックを与える方法700が例示されている。702で、置換されたコードワードは、フォワード・リンク・チャネル又はダウンリンク(例えばMIMOシステムにおける)経由で受け取られ、また、コードワードブロックは、送信に先立ってそれらを置換するために使用されたスキームに基づいてアンミックス(unmixed)される。704で、最初のコードワードに対応するデータ・ストリームは復号されかつ再構成される。さらに、送信の間に最初のストリームによって生成された干渉は再生される。706で、次のコードワードに対応する次のデータ・ストリームが復号されかつ再構成される。復号中に、最初の復号されたストリームからの再生された干渉は削除され、そして、SINR値が良くなる。追加のデータ・ストリーム及びコードワードがある場合には、新しく復号されたストリームの送信の間に生成された干渉が、後で復号されるストリームに関して同じ方法で利用されるように再生される。参照番号706は、データ・ストリームがすべて復号されかつ再構成されるまで、繰り返される。708で、順次データ送信のパフォーマンスを改善するためにデータ転送速度調節を行うことができるように、アップリンク上でフィードバックが提供される。そのフィードバックは、最初の復号されたコードワードの実効または平均SINR値を反映するベース・チャネル質指標(CQI)、及び最初の又は前に復号されたコードワードの干渉を取り消すことにより得られたSINRの増加を反映する差分CQIを含む。
【００５５】
ここに記述される１つ又は複数の態様によれば、アクテイブ・アンテナを識別すること、コードワードと層との対応を決定すること、チャネル関連フィードバックを提供すること、チャネル関連フィードバックを利用すること等に関して推論がなされうる。ここに使用されるように、「推論する」又は「推論」という用語は、システム、環境及び／又はユーザの状態について、事象及び／又はデータを通じて捕捉される１つの組の観察から推理する又はそれらの状態を推論するプロセスを一般に指す。推論は特定の状況又は動作を識別するために使用することができ、あるいは、例えば、状態における確率分布を生成することができる。推論は、蓋然論的、すなわち、データと事象の考察に基づいた興味の状態に関する確率分布の計算でありうる。推論は、1つの組の事象及び／又はデータでより高いレベルの事象を構成するのに使用される技術を指すことができる。そのような推論は、事象が密接した時間的近接性において相互に関係づけられているか否か及びそれらの事象とデータが１つ又は幾つかの事象およびデータ源から来ているか否かに関係なく、１つの組の観察された事象及び／又は帰国された事象データからの新しい事象又は動作の構成を生ずる。
【００５６】
１つの例によれば、上記に提示された１つ又は複数の方法は、
送信アンテナをグループ分けするための方法を選択すること（すなわち、コードワードと層との対応及びアクテイブ・アンテナに基づいてグループ分けを選択すること）に関する推論を行うことを含むことができる。他の例示として、推論は、利点が得られかもしれない又は得られないかもしれない状況においてコードワードを置換すべきかどうかを選択することに関連づけて行われてもよい。上記の実例は本来例示であり、なされうる推論の数又はここに記述される種々の実施形態及び／又は方法に関連してそのような推論がなされる方法を制限するようには意図されないことが認識されるだろう。
【００５７】
図8は、グループ別レート制御(PGRC)スキームを用いるMIMOシステムにおいてコードワード置換を利用することによりフィードバックを低減することを促進するモバイルデバイス800の例示である。モバイルデバイス800は、例えば受信アンテナ(図示なし)から信号を受け取り、かつ、受信信号に対する典型的な動作(例えばフィルタする、増幅する、ダウンコンバートするなど)行ないかつサンプルを得るために調整された信号をデジタル化する受信機802を含む。受信機802は例えばMMSE受信機であってもよく、そして、受信記号を復調しかつそれらをチャネル評価用のためにプロセッサ806に供給することができる復調器804を含むことができる。プロセッサ806は、受信機802によって受信された情報を分析する及び／又は受信機802による送信のための情報を生成する専用のプロセッサ、モバイルデバイス800の１つ又は複数のコンポーネントを制御するプロセッサ、及び／又は受信機802によって受信された情報を分析する、送信機816による送信のための情報を生成する、及び800の１つ又は複数のコンポーネントを制御するプロセッサであってもよい。
【００５８】
モバイルデバイス800は、プロセッサ806に動作的に結合されておりかつ送信されるべきデータ、受信データ、利用可能なチャネルに関連づけられた情報、分析された信号及び／又は干渉の強度に関連したデータ、割り当てられたチャネル、電力、レート、等に関連した情報、及びチャネルを評価しかつそのチャネルによって通信するための他の任意適当は情報を格納できるメモリ808をさらに備えてもよい。メモリ808は、チャネル(例えば性能ベース、容量ベースなどで)を評価する及び／又は利用することに関連したプロトコル及び／又はアルゴリズムをさらに格納することができる。
【００５９】
ここに記述されたデータ記憶装置(例えばメモリ808)は、揮発性メモリ又は不揮発性メモリのいずれかであってもよく、または揮発性及び不揮発性メモリの両方を含むことができることが認識されるであろう。制限ではなく例示として、不揮発性メモリは読み出し専用メモリ(ROM)、プログラム可能なROM(PROM)、電気的にプログラム可能なROM(EPROM)、電気的に抹消できるPROM(EEPROM)あるいはフラッシュ・メモリを含むことができる。揮発性メモリは、外部キャッシュメモリとして働くランダムアクセスメモリ(RAM)を含むことができる。制限ではなく例示として、RAMは、シンクロナスRAM(SRAM)、ダイナミックRAM(DRAM)、シンクロナスDRAM(SDRAM)、ダブル・データ・レートSDRAM(DDR SDRAM)、エンハンスドSDRAM(ESDRAM)、シンクリンク(Synchlink) DRAM(SLDRAM)及びダイレクト・ラムバス（direct Rambus ）RAM(DRRAM)のような多くの形式で利用可能である。本システム及び方法の記憶808は、制限されずに、これら及び他の適切なタイプのメモリを含むように意図される。
【００６０】
受信機802は、フォワード・リンク・チャネルあるいはダウンリンク・チャネルを通して基地局によってモバイルデバイス800に送信されるコードワードをアンミックス（unmixes）するデパーミュータ（depermuter）810にさらに動作的に結合される。それらのコードワードは、各のコードワードの空間的ダイバーシテイを増加させかつ向上した性能のためにチャネルを調節するのに必要なフィードバックの量を減少させるために送信に先立って置換される。すべてのコードワードがMIMOシステムのすべてのアンテナを通して送信されるので、コードワードは同じ条件を本質的に受ける。コードワードのSNR又はSINR値は、行儀がよく（well-behaved）、そして密接に関連づけられるであろう。さらに、フィードバック評価器812は、リバース・リンク・チャネルかアップリンク・チャネルを通して基地局へ送信するための圧縮フィードバック形式（condensed feedback form）を決定するためにモバイルデバイス800のメモリ808に保持されたアンミックス（unmixed）されたコードワード及び復号されたデータ・ストリームを利用してもよい例えば、フィードバック評価器812は、コードワードに対する連続の干渉除去を行なってもよい。フィードバック評価器812は、最初の復号されたデータ・ストリーム又はコードワードによって生成された干渉を再生し、そして、後続のデータ・ストリームあるいはコードワードを復号している間に、実際の干渉を取り消すために再生された干渉を使用することができる。その取り消しは、後続のコードワードのSNR又はSINR値を増加させる。フィードバック評価器812は、最初のデコードされたデータ・ストリームの実効又は平均SINR値によって示されたCQI基礎値、及び最初のコードワードの干渉を取り消すことにより得られた第2のコードワードのSINR利得によって示唆されたCQI差分を決定する。あるいは、CQI基礎値及びCQI差分は、ある取り消し統計(例えば、CQI基礎値に対しては取消し無し及びCQI差分に対しては完全な取り消し)を仮定して、参照信号(例えばパイロット信号)によって得られたMIMOチャネル評価を使用することにより導出することができる。モバイルデバイス800は、変調器814、及び例えば基地局、他のモバイルデバイスなどへ信号(例えば基礎CQI及び差分CQI)を送信する送信機816をさらに備える。プロセッサ806とは別であるとして図示されているが、デパーミュータ（depermuter）810、フィードバック評価器812及び／又は変調器814はプロセッサ806の一部又は複数のプロセッサ(図示なし)であってもよい。
【００６１】
図9は、PGRCスキームを実装するMIMOシステムにおけるフォワード・リンク送信を制御するのに必要なフィードバックの量を減らすことを促進するシステム900の例示である。システム900は、１つ又は複数のモバイルデバイス904から複数の受信アンテナ906を通して信号を受け取る受信機910を有する基地局902(例えばアクセス・ポイント...)、及び複数の送信アンテナ908を通して１つ又は複数のモバイルデバイス904に送信する送信機922を備える。受信機910は受信アンテナ906から情報を受け取ることができ、かつ、受信情報を復調する復調器912に動作的に関連されている。復調された記号は、図8に関して上述されたプロセッサに類似していてもよいプロセッサ914によって分析される。そのプロセッサ914は、信号(例えばパイロット)強度及び／又は干渉の強度、モバイルデバイス904（又は異なる基地局（図示なし））に送信される又はそれから受信されるデータ、ここに開示される種々の動作及び機能を実行することに関係する他の任意適当な情報を評価することに関係する情報を格納するメモリ９１６に結合される。プロセッサ914は、PGRCスキームに従ってデータ伝送のために利用する送信アンテナ908のグループ分けを決定するグルーパ(grouper)918にさらに結合される。グルーパ918は、複数のアクテイブ・アンテナ及び層対コードワード比に基づいてグループを確立する。例えば、グルーパ918は、各組上で送信される1つのデータ・ストリーム又はコードワードをそれぞれ有する2本のアンテナの複数の組にアンテナをグループ分けしてもよい。
【００６２】
グルーパ918は、最初のグループ指定に基づいてすべてのアンテナ・グループ分けを横切ってコードワードを混合するパーミュータ(permuter) 920にさらに結合されてもよい。例えば、第１のコードワードが第１のアンテナ・グループに割り当てられ、そして、第２のコードワードが第２のグループに割り当てられる場合、パーミュータ (permuter) 920は、両方のアンテナ・グループの間で、第1番及び第2のコードワードのブロックを混合する。１つのグループのアンテナに関してデータ・ストリームの符号化することは、基地局902の複雑性を低減する。個別のMCSシステムは、(S)PARCのスキームで必要としれるように、MIMOシステムの送信アンテナ908に含まれた各アンテナに対して必要ではない。例えば、基地局902が4本のアンテナを有する場合には、それは１つの(S)PARCのスキームに4つのMCSシステムを必要とするが、PGRCスキームを使用することにより少なくとも2つのMCSシステムを除去することができる。さらに、後続の送信を制御するのに必要なフィードバックの量も低減される。後続の送信を制御するために利用された情報は、変調器922に提供されてもよい。例えば、変調器は、図8からのモバイルデバイス802によって評価された基礎CQI及び差分CQIを受け取る。変調器922は、モバイルデバイス904へのアンテナ908を通じての送信機926による送信のための制御情報を多重化することができる。プロセッサ914とは別個として図示されているが、グループ回路918、パーミュータ(permuter) 920及び／又は変調器922はプロセッサ914の一部又は複数のプロセッサ(図示なし)であってもよいことが認識されるべきである。
【００６３】
図10は実例の無線通信システム1000を示す。無線通信システム1000は、簡潔のために、1つの基地局1010と1つのモバイルデバイス1050を描く。しかし、システム1000は、1つより多い基地局及び／又は１つより多いモバイルデバイス以上に1つより多い基地局及び／又は１つより多いモバイルデバイスを含んでもよく、この場合、追加の基地局及び／又はモバイルデバイスは、下記に説明される実例の基地局1010及びモバイルデバイス1050に実質的に類似していても又はそれらから実質的に異なってもよい。さらに、基地局1010及び／又はモバイルデバイス1050は、それら間の無線通信を促進するために、ここに記述されるシステム(図1-4及び8-9)及び／又は方法(図6-7)を使用してもよい。
【００６４】
基地局1010では、多くのデータ・ストリーム用のトラヒック・データがデータ・ソース1012から送信(TX)データ・プロセッサ1014に提供される。１つの例によれば、各データ・ストリームは、それぞれのアンテナを通して送信されてもよい。TXデータ・プロセッサ1014は、トラヒック・データ・ストリームをそのデータ・ストリームに対して選択された特定の符号化スキームに基づいてフォーマット化し、符号化し、そしてインターリーブして符号化されたデータを提供する。
【００６５】
各データ・ストリームに対する符号化されたデータは、直交周波数分割多重化(OFDM)技術を使用して、パイロット・データで多重化されてもよい。追加的に又は代替的に、パイロット記号は、周波数分割多重化(FDM)、時分割多重化(TDM)又は符号分割多重化(CDM)されうる。パイロット・データは、典型的には、既知のやり方で処理され、かつチャネル・レスポンスを評価するためにモバイルデバイス1050で使用されうる既知のデータ・パターンである。各データ・ストリームに対する多重化パイロット及び符号化データは、変調記号を提供するためにそのデータ・ストリームに対して選択された特定の変調スキーム(例えば2進法の位相偏移変調(BPSK)、4位相偏移変調(QPSK)、M-位相偏移変調(M-PSK)、M-直交振幅変調など(M-QAM))に基づいて変調されてもよい(例えばマップ化された記号)。各データ・ストリームに対するデータ転送速度、符号化及び変調は、プロセッサ1030によって行なわれる又は提供される指示によって決定されてもよい。
【００６６】
そのデータ・ストリームに対する変調記号は、変調記号(例えばOFDMのための)をさらに処理しうるTX MIMOプロセッサ1020に提供されてもよい。その後、TX MIMOプロセッサ1020は、NT送信機(TMTR)1022a-1022tにNT変調記号ストリームを供給する。種々の実施の形態において、TX MIMOプロセッサ1020は、データ・ストリームのシンボルと記号が送信されているアンテナとにビームフォーミング・ウェイト(beamforming weights)を適用する。
【００６７】
各送信機1022は、１つ又は複数のアナログ信号を提供するためにそれぞれの記号ストリームを受け取りかつ処理し、そして、MIMOチャネル上での送信に適した変調信号を提供するためにアナログ信号をさらに調整する（増幅し、フィルターし、そしてアップコンバートする）。さらに、送信機1022a-1022tからのNT変調信号は、それぞれNTアンテナ1024a-1024tから送信される。
【００６８】
モバイルデバイス1050では、送信された変調信号は、NRアンテナ1052a-1052rによって受信され、そして各アンテナ1052からの受信信号は、それぞれの受信機(RCVR)1054a-1054rに提供される。各受信機1054は、それぞれの信号を調整し(例えばフィルタする、増幅する、またダウンコンバートする)、サンプルを提供するために、その条件つきの調整された信号をデジタル化し、そして対応する「受信」記号ストリームを提供するためにサンプルをさらに処理する。
【００６９】
RXデータプロセッサ1060は、NT「検知」記号ストリームを提供するために特定の受信機処理技術に基づいてNR受信機1054からNR受信記号ストリームを受け取りかつ処理してもよい。RXデータプロセッサ1060は、データ・ストリームに対するトラヒック・データを回復するために各検知された記号ストリームをトラヒック・データを回復するために各検知された記号ストリームを復調し、デインターリーブ（deinterleave）し、そして復号してもよい。RXデータプロセッサ1060による処理は、基地局1010におけるTX MIMOプロセッサ1020及びTXデータプロセッサ1014によって行なわれるものと相補的である。
【００７０】
プロセッサ1070は、上述のようにして、どの前置符号化マトリックスを利用するかを周期的に決定してもよい。さらに、プロセッサ1070は、マトリックス・インデックス部分及びランク値部分を含むリバース・リンク・メッセージを策定（formulate）してもよい。
【００７１】
リバース・リンク・メッセージは、通信リンク及び／又は受信データ・ストリームに関する種々のタイプの情報を含んでいてもよい。リバース・リンク・メッセージは、TXデータプロセッサ1038によって処理されてもよく、そのTXデータプロセッサ1038はまた、変調器1080によって変調され、送信機1054a-1054rによるによって調整され、そして基地局1010へ送信されるデータ・ソース1036からの複数のデータ・ストリームに対するトラヒック・データを受け取る。
【００７２】
基地局1010では、モバイルデバイス1050によって送信されたリバース・リンク・メッセージを抽出するために、モバイルデバイス1050からの変調信号が、アンテナ1024によって受信され、受信機1022によって調整され、復調器1040によって復調され、そしてRXデータプロセッサ1042によって処理される。さらに、プロセッサ1030は、ビームフォーミング・ウエイト(beamforming weights)を決定のために、どの前置符号化マトリックスを使用するか決定するために抽出されたメッセージを処理してもよい。
【００７３】
プロセッサ1030及び1070は、基地局1010及びモバイルデバイス1050における動作を指示してもよい（例えば、制御し、調整し、管理する等）それぞれのプロセッサ1030及び1070は、プログラム符号及びデータを格納するメモリ1032及び1072と関連されうる。プロセッサ1030及び1070はまた、アップリンク及びダウンリンクに対する周波数及びインパルス応答評価を得るための計算を行うこともできる。
【００７４】
ここに記述された実施形態は、ハードウェア、ソフトウェア、ファームウェア、ミドルウェア、マイクロコードあるいはそれらの任意の組合せで実装されてもよいことが理解されるべきである。ハードウェア実装のためには、プロセッシング・ユニットは、１つ又は複数の特定用途向け集積回路(ASIC)、デジタル信号プロセサ(DSP)、デジタル信号プロセッシング・デバイス(DSPD)、プログラム可能論理デバイス(PLD)、フィールド・プログラム可能ゲートアレー(FPGA)、プロセッサ、コントローラ、マイクロプロセッサ、ここに記述された機能を行うように設計された他の電子ユニット、又はそれらの組合せ内で実装されてもよい。
【００７５】
実施形態がソフトウェア、ファームウェア、ミドルウェア又はマイクロコード、プログラム・コード又はコード・セグメントで実装される場合には、それらは記憶コンポーネントのような機械可読媒体に格納されてもよい。コード・セグメントは、手順、関数、サブプログラム、プログラム、ルーチン、サブルーチン、モジュール、ソフトウエア・パッケージ、クラス、または命令、データ構造又はプログラム・ステートメントの任意の組合せを表わしてもよい。コード・セグメントは、情報、データ、引数、パラメータ、又はメモリ内容を渡す及び／又は受け取ることによって、他のコード・セグメント又はハードウエア回路に結合されてもよい。情報、引数、パラメータ、データ、等は、メモリ共有、メッセージ渡し、トークン渡し、ネットワーク送信、等を含む任意適当な手段を用いて、渡され、転送され、又は送信されてもよい。
【００７６】
ソフトウェア実装のためには、ここに記述された機能を実行するモジュール(例えば手順、機能、等)で実装されてもよい。ソフトウェア・コードは、記憶素子に格納され、そして、プロセッサによって実行されてもよい。メモリ・ユニットは、プロセッサの内部又はプロセッサの外部で実装されてもよく、その場合には、技術的にで知られているように、それは、種々の手段によってプロセッサに通信的に結合されうる。
【００７７】
図11を参照すると、すべてのアクテイブ・アンテナを通してPGRCスキームのコードワードを送信することにより、MIMOシステムのリバース・リンク・チャネル上の必要なフィードバックを低減することを促進するシステム1100が例示されている。例えば、システム1100は、基地局内に少なくとも部分的に存在してもよい。システム1100は、プロセッサ、ソフトウエア、又はそれらの組合せ（例えばファームウエア）によって実行される機能を表わす機能的ブロックであってもよい機能的ブロックを含むとして表わされているが認識されるべきである。システム1100は、共同して動作しうる電気的コンポーネントの論理的グループ分け1102を含む。例えば、論理的グループ分け1102は、コードワードと層の対応1104のレベルを識別するための電気的コンポーネントを含んでもよい。例えば、グループ別レート制御スキームを実行するMIMO環境では、１つのコードワードは２つの層（(例えば物理的アンテナ、仮想アンテナ、等)に対応することができる。１つのコードワードが任意の数の層に対応してもよいことが認識されるべきである。さらに、論理的グループ分け1102は、送信アンテナ1106のグループを策定するための電気的コンポーネントを備えてもよい。グループは、層とコードワードの対応のレベルで少なくとも一部分決定される。例えば、各コードワードが2つの層に対応する場合には、2本の送信アンテナのグループがそれぞれ策定される。さらに、論理的グループ分け1102は、コードワード1108の対称的な置換を行なうための電気的コンポーネントを含んでいてもよい。１つのコードワードが2つの層に関連している実例によれば、2本のアンテナのグループがそれぞれ利用されうる。従来は、各グループが1つのコードワードを送信する。対称的な置換の後、各コードワードは、各グループが、一部分、すべてのコードワードを送信するように、すべてのアンテナ・グループの間で混合される。さらに、置換された形式でのコードワードの送信は、すべてのコードワードに実質的に同様のチャネル条件を受けさせることができる。これは、コードワード毎にほとんど変化しない行儀の良い（well behaved）チャネル品質値を生ずる。さらに、システム1100は、電気的コンポーネント1104、1106及び1108に関連
した機能実行するのための命令を保持するメモリ1110を含んでいてもよい。メモリ1110の外側にあるとして示されたが、電気的コンポーネント1104、1106及び1108の1つ以上がメモリ1110内に存在してもよいことが理解されるべきである。
【００７８】
図12を参照すると、置換されたコードワードに対して逐次干渉動作を使用することにより低減されたフィードバックを計算するシステム1200が例示されている。システム1200は、例えばモバイルデバイス内に存在してもよい。図示のように、システム1200は、プロセッサ、ソフトウェア又はそれらの組合せ(例えばファームウェア)によって実行される機能を表わしてもよい機能ブロックを含む。システム1200は、フォワード・リンク送信を制御することを促進する電気的コンポーネントの論理的グループ分け1202を含む。論理的グループ分け1202は、置換されたコードワード1204を受け取るための電気的コンポーネントを含んでいてもよい。例えば、受信機がマルチプル受信機アンテナを備えたMIMOシステムに含まれており、各置換されたコードワードがすべての受信アンテナによって受け取られる。さらに、論理的グループ分け1202は、受信コードワード1206を再構成するための電気的コンポーネントを含んでいてもよい。１つの例によれば、コードワードは置換された形式で受け取られる。コードワードはアンミックス（unmixed）されかつ再構成される。送信時に使用される置換スキームは公知であり、コードワードはデパーミュート（depermuted）できることが認識されるべきである。さらに、論理的グループ分け1202は、第１のコードワード1208によって生成される干渉を再生するための電気的コンポーネントを含んてもよい。コードワードを再構成しかつ第１のコードワードを復号した後に、第１の復号されたコードワードによって作成された干渉が再生される。また、論理的グループ分け1202は、追加のコードワード1210中の再生された干渉を削除するための電気的コンポーネントを含んでいてもよい。例えば、再生された干渉は、信号及びチャネル品質を改善するために他のコードワードを復号する間に差し引かれる。さらに、システム1200は、電気的コンポーネント1204、1206、1208及び1210に関連した機能を実行するための命令を保持するメモリ1212を含んでいてもよい。メモリ1212の外側にあるとして図示されているが、電気コンポーネント1204、1206、1208及び1210は、メモリ1212内に存在してもよいことが理解されるべきである。
【００７９】
上に記述されたものは、１つ又は複数の実施形態の例を含んでいる。前述の実施形態について記述する目的のためにコンポーネント又は方法のすべての考えられる組合せについて記述することはもちろん可能ではないが、当業者は、種々の実施形態の他の多くの組合せ及び置換が可能であることを認識できる。従って、記述された実施形態は、添付請求項の精神及び範囲以内にあるような変更、修正及び変化をすべて包含するように意図される。更に、「含む」（"includes"）という用語は、詳細な説明又は請求項で使用されている限度で、「備える」（"comprising"）が請求項において遷移語（transitional word）として用いられているときに解釈される場合における用語「備える」と同様の態様において包括的であると意図されている。
【００８０】
関連出願の相互参照
本出願は、2006年9月6日に申請された「コードワード置換及びグループ分けされたアンテナに対する低減されたフィードバックのための方法及び装置（A METHOD AND APPARATUS FOR CODEWORD PERMUTATION AND REDUCED FEEDBACK FOR GROUPED ANTENNAS）」という名称の米国仮特許出願第60/842,872号の利益を請求する。前述の適用の全体は、基準によってここに組込まれる。上記出願の全体が参照として個々に取り込まれる。
下記に、本願出願時の請求項１−４０に対応する記載が付記１−４０として表記される。
付記１
無線通信でのデータ転送速度制御のための必要なフィードバックを低減することを促進する方法であって、
複数の送信アンテナの１つ又は複数のグループ分けを決定すること、
アンテナ・グループ分けの置換に従ってデータ・ストリーム・コードワードを置換すること、
及び、フォワード・リンク・チャネル上で送信アンテナのグループ分けの1つまたはそれより多くを通して置換されたコードワードを送信すること、
を備える方法。
付記２
１つ又は複数のグループ分けを決定することは、複数の送信アンテナ中のアクテイブ・アンテナを識別すること及び前記１つ又は複数のグループ分けを策定する場合に非アクテイブ・アンテナを無視することを備える、付記１の方法。
付記３
層対コードワード比を決定すること、及び
前記１つ又は複数のグループ分けのサイズを前記層対コードワード比に制限すること、をさらに備える、付記２の方法。
付記４
各コードワードは１つの層に対応する、付記3の方法。
付記５
各コードワードは２つの層に対応する、付記3の方法。
付記６
置換されたコードワードを送信することに関連するフィードバックとして圧縮チャネル品質指標(CQI)を受け取ること、及び
データ転送速度、コード・レート、又は送信される後続のコードワードの変調スキームのうちの少なくとも1つをcondensed CQIに基づいて調節すること、
をさらに含む付記１の方法。
付記７
前記圧縮CQIは、第１の復号されたコードワードの信号品質メトリックを反映する基礎CQI及び第２のコードワードを復号する際に前記第１の復号されたコードワードを取消すことのよって得られる信号品質を反映する差分CQIを備える、付記６の方法。
付記８
圧縮CQIは、第１の復号されたコードワード及び第２の復号されたコードワードの両方の信号品質メトリックを反映する基礎CQIを備える、付記６の方法。
付記９
前記信号品質メトリックは、信号対雑音比又は信号対干渉パルス雑音比のうちの１つである、付記７の方法。
付記１０
後続のコードワードを調節することは、
データ転送速度、コード・レート又は後続の第１のコードワードの変調スキームのうちの少なくとも１つを基礎CQIに従って調節すること、及び
データ転送速度、コード・レート又は追加の後続のコードワードの変調スキームのうちの少なくとも１つを基礎CQI及び差分CQIの倍数の合計に基づいて調節すること、
を備える、付記７の方法。
付記１１
後続のコードワードを調節することは、
データ転送速度、コード・レート又は後続の第１及び追加のコードワードの変調スキームのうちの少なくとも１つを基礎CQIに基づいて調節すること、を備える、付記８の方法。
付記１２
コードワードを置換することは、各コードワードが前記複数のアンテナ中の各アンテナを通して送信されるように全てのアンテナ・グループ分け間にコードワード・ブロックを分配することを備える、付記１の方法。
付記１３
前記複数の送信アンテナは、1本の又はそれより多い物理的アンテナ又は仮想アンテナを含んでいる、付記１の方法。
付記１４
多重入力多重出力システムにおいて使用可能な無線通信装置であって、
コードワードと層の対応のレベルを識別するための手段と、
送信アンテナのグループをコードワード対応のレベルに少なくとも部分的に基づいて策定するための手段と、及び
少なくとも2つのコードワードの対称的な置換を行なうための手段と、
を備える装置。
付記１５
前記アンテナ・グループを通して前記少なくとも2つの置換されたコードワードを送信するための手段と、及び
前記少なくとも2つのコードワードの送信と関係するフィードバックを利用するための手段と、
をさらに備える、付記１４の無線通信装置。
付記１６
前記フィードバックは、基礎CQI値及び差分CQI値を含む圧縮CQIを含む、付記15の無線通信装置。
付記１７
前記フィードバックは、前記少なくとも2つのコードワードの信号品質を反映する基礎CQIを備える、付記15の無線通信装置。
付記１８
送信アンテナをグループ分けすること、アンテナ・グループ分けに基づいてコードワード記号を置換すること及び送信性能を調節するためにフィードバックを利用することに関係する命令を保持するメモリと、及び
前記メモリに結合され、前記メモリ内に保持された前記命令を実行するように構成されたプロセッサと、
を備える無線通信装置。
付記１９
前記メモリは、複数のアクテイブ・アンテナを決定すること及びコードワード対層対応のレベルを識別することに関係する命令をさらに保持する、付記17の無線通信装置。
付記２０
コードワードと層との間の対応に基づいて送信アンテナをグループ分けする、
前記グループ分けの対称的な置換に基づいてアンテナ・グループ分けを横切ってコードワード・ブロックをシャッフルする、
前記送信アンテナを通してフォワード・リンク・チャネルによって前記混ぜられたコードワード・ブロックを送信する、
混ぜたコードワードの送信に関する圧縮フィードバック・メトリック(condensed feedback metric)を受け取る、そして
前記受け取られたフィードバックに少なくとも部分的に基づいて後続の送信を調節するための機械実行可能命令を格納した機械可読媒体。
付記２１
前記対応は、各送信ランクに対して、各コードワードと関連した層の数を特定する、付記20の機械可読媒体。
付記２２
少なくとも１つの層が１つのコードワードに関連している、付記21の機械可読媒体。
付記２３
少なくとも２つの層が１つのコードワードに関連している、付記21の機械可読媒体。
付記２４
コードワードブロックをシャッフルすることは、各コードワードが一部分すべての送信アンテナを通して送信するようにすべてのグループ分けの上でコードワードを対称的に置換することを備える、付記20の機械可読媒体。
付記２５
圧縮フィードバック・メトリックは、第１の復号されたコードワードの信号品質メトリックを反映する基礎CQI及び第２のコードワードを復号中に前記第１の復号されたコードワードの干渉を除去することにより得られた信号品質利得を反映する差分CQIを備える、付記20の機械可読媒体。
付記２６
後続の送信を調節することは、
データ転送速度、コード・レート又は後続の第１のコードワードの変調スキームのうちの少なくとも1つを基礎CQIに応じて変更すること、及び
データ転送速度、コード・レート又は追加の後続のコードワードの変調スキームのうちの少なくとも1つを、基礎CQI及び差分CQIの倍数の和に基づいて変更すること、を備える、付記25の機械可読媒体。
付記２７
後続の送信を調節することは、データ転送速度、コード・レート又は後続の第１及び追加のコードワードの変調スキームのうちの少なくとも１つを前記基礎CQIに基づいて調節することを備える、付記25の機械可読媒体。
付記２８
信号品質メトリックは、信号対ノイズ比(SNR)又は信号対干渉プラスノイズ比(SINR)のうちの1つである、付記25の機械可読媒体。
付記２９
送信アンテナをグループ分けすることは、非アクテイブ・アンテナを識別すること及び非アクテイブ・アンテナを無視することを備える、付記20の機械可読媒体。
付記３０
アンテナ・グループのサイズはコードワードと層の間の対応から決定される、付記29の機械可読媒体。
付記３１
前記送信アンテナは1本の又はそれより多い物理的アンテナ又は仮想アンテナを含む、付記20の機械可読媒体。
付記３２
無線通信システムにおいて低減されたフィードバックを生成する方法であって、
置換されたコードワード・ブロックを、送信時に使用される置換スキームに従ってアンミックスすること、
送信時に第１のコードワードによって生成される干渉を再生すること、
前記第１のコードワードと関係するチャネル品質指標(CQI)を評価すること、及び
第２のコードワードを復号する際に再生された干渉を除去するから生ずる品質向上に関係する差分CQIを評価すること、
を備える方法。
付記３３
前記置換されたコードワード・ブロックを複数の受信機アンテナを通して受け取ることをさらに備える、付記32の方法。
付記３４
前記置換されたコードワード・ブロックは少なくとも2つのコードワードからである、付記32の方法。
付記３５
前記アンミックスされたコードワードを符号化することをさらに備える、付記32の方法。
付記３６
前記CQI及び差分CQIは、少なくともSNR値又はSINR値に基づいている、付記33の方法。
付記３７
無線通信システムにおいて、
置換された形式で受け取られた少なくとも2つのコードワードを再構成する、
少なくとも2つのコードワードの第１のコードワードの信号品質を反映する基礎CQIを決定する、及び
第２のコードワードにおいて得られた信号利得に基づいてデルタCQIを計算するように構成されたプロセッサを備えるシステム。
付記３８
置換されたコードワード上で逐次干渉除去を使用することにより低減されたフィードバックを計算する無線通信装置において、
複数の受信機アンテナ上で置換されたコードワードを受け取るための手段と、
受け取った置換されたコードワードに基づいたコードワードを再構成するための手段と、
送信時に第１のコードワードによって生成された干渉を再生するための手段と、
第２のコードワードを復号している間に、再生された干渉を除去するための手段と、を備える、無線通信装置。
付記３９
前記第１のコードワードの信号品質を示す基礎CQI値を決定するための手段と、
再生された干渉を除去することから生ずる前記第2のコードワードにおける信号品質の増加を反映するCQIブーストを計算するための手段と、
をさらに備える、付記38の無線通信装置。
付記４０
リバース・リンク・チャネル上で基礎CQI及びCQIブーストを送信するための手段をさらに備える、付記39の装置。
【図１】
0005420411.tif 000002
【図２】
0005420411.tif 000003
【図３】
0005420411.tif 000004
【図４】
0005420411.tif 000005
【図５ａ】
0005420411.tif 000006
【図５ｂ】
0005420411.tif 000007
【図５ｃ】
0005420411.tif 000008
【図５ｄ】
0005420411.tif 000009
【図５ｅ】
0005420411.tif 000010
【図５ｆ】
0005420411.tif 000011
【図５ｇ】
0005420411.tif 000012
【図６】
0005420411.tif 000013
【図７】
0005420411.tif 000014
【図８】
0005420411.tif 000015
【図９】
0005420411.tif 000016
【図１０】
0005420411.tif 000017
【図１１】
0005420411.tif 000018
【図１２】
0005420411.tif 000019